(57)【特許請求の範囲】
【請求項１】
情報記録トラックがランドとグルーブの両方に存在し、１回転おきにランドとグルーブを交互に切り替えながら連続した情報トラックを形成し、上記情報記録トラックが複数のゾーンに分割されている光ディスクにおいて、
上記情報記録トラックにおける情報の記録単位であるセクタのアドレス管理情報及び上記光ディスクの回転情報を表すように上記グルーブをディスクの半径方向に微小にウオブリングさせることによりウオブルを形成し、
所定のグルーブが上記ウオブルを形成している場合には、該グルーブに隣接するグルーブにはウオブルを形成しないようにし、
上記グルーブには、上記セクタの内部で上記ウオブルが形成された領域とそうでない領域とを形成するとともに、
上記グルーブのウオブルが、上記アドレスデータのセクタ管理情報をＦＭ変調することにより、データが重畳された形で構成されるとともに、
上記セクタの開始部分において上記変調を行わない基準波形から構成されるウオブル領域を設け、
上記ランドからグルーブもしくはグルーブからランドへの切り替えを行う直前のセクタにおいては、上記ウオブルが一定長形成されたグルーブの領域とそうでない領域とが繰り返されるパターンが、上記ランドからグルーブもしくはグルーブからランドへの切り替えを行わない直前のセクタとは異なるパターンで構成されるとともに、
上記ランドからグルーブもしくはグルーブからランドへの切り替えを行う直前のセクタでは上記ウオブルが一定長形成されたグルーブの領域とそうでない領域とが繰り返されるパターンの周期を異なるように構成することで、
上記ランドからグルーブもしくはグルーブからランドへの極性切り替え点の検出を可能にしたことを特徴とする光ディスク。
【請求項２】
情報記録トラックがランドとグルーブの両方に存在し、１回転おきにランドとグルーブを交互に切り替えながら連続した情報トラックを形成し、上記情報記録トラックが複数のゾーンに分割されている光ディスクにおいて、
上記情報記録トラックにおける情報の記録単位であるセクタのアドレス管理情報及び上記光ディスクの回転情報を表すように上記グルーブをディスクの半径方向に微小にウオブリングさせることによりウオブルを形成し、
所定のグルーブが上記ウオブルを形成している場合には、該グルーブに隣接するグルーブにはウオブルを形成しないようにし、
上記グルーブには、上記セクタの内部で上記ウオブルが形成された領域とそうでない領域とを形成するとともに、
上記グルーブのウオブルが、上記アドレスデータのセクタ管理情報をＦＭ変調することにより、データが重畳された形で構成されるとともに、
上記セクタの開始部分において上記変調を行わない基準波形から構成されるウオブル領域を設け、
上記ランドからグルーブもしくはグルーブからランドへの切り替えを行う直前のセクタにおいては、上記ウオブルが一定長形成されたグルーブの領域とそうでない領域とが繰り返されるパターンが、上記ランドからグルーブもしくはグルーブからランドへの切り替えを行わない直前のセクタとは異なるパターンで構成されるとともに、
上記ランドからグルーブもしくはグルーブからランドへの切り替えを行う直前のセクタでは上記ウオブルが一定長形成されたグルーブの領域とそうでない領域とが繰り返されるパターンの周期を異なるように構成された光ディスクを用い、
上記ウオブル信号を抽出した際のエンベロープ検波により、上記ウオブル領域の繰り返しパターンを検出し、上記ウオブル領域の繰り返しパターンが他のセクタと異なることを検出した場合に、トラッキングにおける上記ランドグルーブの極性を切り替えることを特徴とする光ディスク装置。
【発明の詳細な説明】
【０００１】
【発明の属する技術分野】
この発明は、ランドとグルーブの両方にデータを記録する光ディスク、及びこれを用いた光ディスク装置に関するものである。
【０００２】
【従来の技術】
既存の相変化光ディスクは、グルーブと呼ぶ溝部分だけにデータを記録している。ランドはトラッキング時の案内や、隣のグルーブ・トラックからのクロストークを抑える役目を担っている。ランドにもデータ記録すれば、グルーブの幅は同じままでトラック密度を２倍にできる一方、隣接トラックからのクロストークが大きくなるので、ランド・グルーブ記録を使っても記録密度はそれほど上がらないと思われていた。しかし、グルーブとランドの段差をλ／６（λは光源の波長）程度にすると、隣接トラックからのクロストークを抑えられることがわかり、これによってランド・グルーブ記録を行うことにより、光ディスクの記録密度をより向上させることができるようになってきた。さらに、このようなランド・グルーブ記録においては、特にランド・グルーブ記録を使わずにトラック・ピッチを狭めるよりも、光ディスクのマスタリングが容易になるという利点もある。
【０００３】
図１１は、従来のランド・グルーブ記録を行うディスクのトラック構成を示したもので、図において１はディスクのトラック案内溝を構成するグルーブ、２はグルーブ１間のランド、１３は各情報記録セクタの先頭部分に設けられたヘッダ部である。例えば図１１に示すように、ランド・グルーブ記録を行う光ディスクは同心円状の構成をしており、ディスク１周分の記録を行えば、トラックジャンプを行い隣のトラック（例えば現在がグルーブトラックであれば、隣のランドトラック）における書き込みを開始する。この場合、各セクタはセクタアドレス（セクタ番地）で常に管理されているため、コンピュータデータなどの不連続でもかまわないデータを記録再生するだけの用途には、バッファメモリ等を用いて支障なく動作が可能である。
【０００４】
しかし、書換可能な光ディスクにはコンピュータ向け以外にも、動画や音楽などの連続したデータを扱う場合がある。特にマルチメディア用途（データと映像・音声を混在して用いる用途）においては、連続したデータが扱い易いようにＣＤと同じ螺旋状のトラックを用いることが考えられる。この場合、既存の光磁気ディスクのような同心円状のトラックにはせずに、連続的な書き込みが行えるようにスパイラル状に構成する場合がある。ただし、ランドとグルーブの両方に記録するディスクでスパイラルの構成にする場合、トラックの開始点からグルーブもしくはランドのみを最後までトレースし、いずれかが記録もしくは再生し終わった時点で、ランドとグルーブを切り替えてもう一度記録し直す必要がある。ただしこの場合は、ランドとグルーブの切り替え時にディスク内周から外周へのアクセスが必要となり、時間がかかる問題がある。例えばこの動作をディスク半径方向にいくつかのゾーン単位に区切ったディスクで、ゾーン単位にランドとグルーブの切り替えを行ったとしても、アクセスの間記録もしくは再生をかなりの時間中断しなければならない。
【０００５】
ここで図１２は、従来のランド・グルーブ記録を行うディスクにおけるヘッダ部の詳細を示したもので、（ａ）はランドトラックとグルーブトラックの両方にヘッダが形成されている場合、（ｂ）はランドとグルーブの境目の位置にヘッダが形成されている場合の図である。図において、４はアドレスピットである。
ヘッダ部はデータを記録する単位であるセクタのアドレス情報などを表すために物理的に形成した凹凸部である。具体的にはランドと同じ高さのピットもしくはグルーブと同じ深さのピットを、トラックのないヘッダ部に形成する。ランド・グルーブに適したプレピットの形成方法は数種類考えられているが、そのうち、主な方法は図１２（ａ）に示すような専用アドレスを各トラック単位に持つ方式と、（ｂ）に示すように中間（共用）のアドレスを持つ方式の二つがある。
専用アドレス方式は、ランドとグルーブのそれぞれのセクタについて専用のプレピットを置く。そのセクタがランドなのかグルーブなのか等の多くの情報を盛り込めるので光ディスク装置側の制御は楽になる。ただし、ピットの幅はトラック幅よりも十分狭くする必要がある。すなわち、トラックを形成するのと同じレーザ光ではプレピットを形成することができず、媒体の構造は難しくなる。
また、中間アドレス方式は隣合うランドとグルーブでプレピットを共有する方法である。トラックを形成するのと同じレーザ光を使って、半径方向にトラックの幅の１／４だけ位置をずらすことでピットを形成できる。しかし、光ディスク制御側でランドかグルーブかを判断する必要があり、制御は複雑になる。
【０００６】
一方従来から、例えばＣＤ−Ｒ（コンパクトディスクレコーダブル）やＭＤ（ミニディスク）のような、特に連続データを主体とする書き込み可能な光ディスクにおいては、図１３に示すようにグルーブをウオブリングさせることにより、記録時の回転制御や、アドレス等の管理を行う方式が実用化されてきた。これは、従来の再生専用ＣＤでは、再生データのピット列から回転制御信号を得ることができ、しかも記録しないため専用のアドレス管理情報が必要なかったのに対し、書き込み可能な光ディスクにおいては記録時に回転制御やアドレス等の管理を行う必要があることによる。
上記のＣＤ−ＲやＭＤの場合においては、上記ウオブリング案内溝をディスクカッティング時にレーザーをトラック方向にウオブリングさせることによって構成し、上記ウオブルにＦＭ変調した形でアドレス管理情報を挿入している。そして、ディスクへの書き込み時（記録時）においては、上記ウオブル信号を、トラッキングエラー信号から抽出した後、これをＦＭ復調してアドレス管理情報を得るとともに、上記ウオブル信号が一定周波数になるように書き込み時のディスクモータ回転制御を行っている。
【０００７】
以上のようなグルーブをウオブリングする方式においては、ウオブリング情報にセクタアドレス等のセクタ管理情報を持たせることが可能であるため、専用のアドレスピットを設けることは不要であった。そのため、アドレスピットの分だけデータの書き込み効率を高く取ることができるようになった。また、記録時の回転制御情報を、上記ウオブル信号から得ることができるため、ＣＬＶ回転制御等の連続データ書き込み時に有効な方式を採用することができるようになった。しかし、上述のグルーブをウオブリングさせる方式においては、あくまでもグルーブ部においてデータを記録再生する場合であって、ランドはトラッキング信号を得るためのものでしかない。従って、上述のようなクロストークを低減することにより可能となったランド・グルーブ記録によって、さらに記録密度を向上すること等は行なわれていなかった。
【０００８】
【発明が解決しようとする課題】
上記のようなＣＤ−ＲやＭＤなどの従来の光ディスクでは、記録時の回転制御信号を抽出したり、セクタのアドレス管理情報を得るために、ウオブリングされたグルーブを用いてデータが記録されていないエリアにおいても光ヘッドのアクセス等を行ってきたが、これをランドとグルーブの両方に記録する高密度な記録方式に適用すると、グルーブをトレースする場合は従来と同じように、上記のウオブル情報をトラック誤差信号に重畳された形で得ることが可能だが、ランドの記録再生時にランドトラックの両側に構成されたウオブルがそれぞれ異なる情報を有するウオブルであるため、ウオブル情報が得られなくなる問題があった。また、仮にランドトラックの両側に構成されたウオブルに同じ情報が記述できたとしてもランドとグルーブの区別をつけることはできなかった。さらにこれにより、セクタ管理情報が得られなくなったり、ディスクモータの回転制御が正常に行えない問題があった。
【０００９】
また、１回転おきにランドとグルーブが連続しているような構成のスパイラルディスクの場合は、次に来るセクタがランドかグルーブか判断する必要が生じた。特にこの判断を誤るとサーボはずれにつながるため、確実なランド・グルーブ極性の検出が必要であった。さらに、トラッキング極性が１回転おきに反転するため、トラックエラー信号が１回転おきに逆転し、トラックアクセス時のトラッキングエラー信号を用いたカウント動作のカウントミスや、トラックジャンプ時等における引き込み失敗が発生する問題があった。また、アクセス時においてゾーンの切り替わりが分からない場合は、ゾーンの最終トラックにオントラックしてからＣＬＶ制御を行うため、トラッキングの整定に時間がかかるといった問題も生じた。このような問題を回避するには、トラッキングがかかっていない状態においても、トラッキング極性や現在のゾーン位置を検出することが要求されていた。
【００１０】
加えて、記録するデータが、ビデオ情報のように比較的高い信号レートで、連続するようなデータ配列をしている場合、従来のトラック構成では次のような問題点があった。連続したデータを記録再生する場合、ランドとグルーブが同心円状に構成されたトラックでは、１回転ごとにトラックジャンプを行う必要から、記録データレートが高くとれなくなる問題があり、また渦巻状に構成されたトラックでは、例えば内周から外周に向かってランド記録後に内周までアクセスし再びグルーブ記録を行う等のデータの切れ目が存在してしまう等の問題である。従来のスパイラル状の光ディスクでは、ランドのトラックをすべて走査したあとでグルーブのトラックの先頭に光ヘッドを移動させるといった特殊なトラックジャンプ方法を組み込まなければならない。こうした場所で急に記録速度が低下する恐れがある。
【００１１】
この発明は、上述のような課題を解決するためになされたもので、ランドとグルーブの両方に記録することにより高密度に記録再生をおこなえるようにするとともに、グルーブをウオブリングさせることによりセクタ管理情報や回転制御情報を得ることができ、ランドのトラックであるかグルーブのトラックであるかを容易にかつ確実に判定することのできる光ディスク及びその装置を得ることを目的とする。
また、確実にセクタ管理情報を抽出することができ、また、安定した書き込みクロックを生成することができる光ディスク及びその装置を得ることを目的とする。
さらにランドとグルーブが１回転おきに切り替わる光ディスクにおいても、トラッキング極性の反転位置を容易にかつ確実に検出することのできる光ディスク及びその装置を得ることを目的とする。
【００１２】
【課題を解決するための手段】
この発明に係る光ディスクは、情報記録トラックがランドとグルーブの両方に存在する光ディスクにおいて、上記情報記録トラックにおける情報の記録単位であるセクタのアドレス等のセクタ管理情報及び上記光ディスクの回転情報を表すように上記グルーブをディスク半径方向に微小にウオブリングさせることによりウオブルを形成し、所定のグルーブが上記ウオブルを形成している場合には、該グルーブに隣接するグルーブにはウオブルを形成しないようにして、上記グルーブの１回転毎に上記ウオブルが形成された部分とそうでない部分とを１つ以上交互に設けるようにしたことを特徴とする。
【００１３】
また、上記情報記録トラックが半径方向の位置に応じて複数のゾーンに分割されるとともに、上記セクタの内部で上記ウオブルが形成された部分とそうでない部分とを交互に含むようにしたものである。
【００１４】
また、上記グルーブのウオブルが、上記アドレスデータ等のセクタ管理情報を変調した波形で構成されるとともに、上記セクタの開始部分において上記変調を行わない基準波形からなるウオブルを設けるようにしたものである。
【００１５】
また、１トラックおきに上記ランドとグルーブを切り替えながら連続した上記情報記録トラックを形成するとともに、上記情報記録トラックを半径方向の位置に応じ複数のゾーンに分割し、上記ランドからグルーブもしくは上記グルーブからランドへの切り替えを行う直前のセクタにおいては、上記ウオブリングの周期と異なる周期でウオブリングされた上記ランドとグルーブの切り替え認識部を含むようにしたものである。
【００１６】
また、１トラックおきに上記ランドとグルーブを切り替えながら連続した上記情報記録トラックを形成するとともに、上記情報記録トラックを半径方向の位置に応じ複数のゾーンに分割し、上記ランドからグルーブもしくは上記グルーブからランドへの切り替えを行う直前のセクタにおいては、上記ウオブルとそうでない部分との繰り返し周期を少なくとも該セクタの一部分においては他のセクタと異なるようにしたものである。
【００１７】
この発明に係る光ディスク装置は、情報記録トラックがランドとグルーブの両方に存在する光ディスクであって、上記情報記録トラックにおける情報の記録単位であるセクタのアドレス等のセクタ管理情報及び上記光ディスクの回転情報を表すように上記グルーブをディスク半径方向に微小にウオブリングさせることによりウオブルを形成し、所定のグルーブが上記ウオブルを形成している場合には、該グルーブに隣接するグルーブにはウオブルを形成しないようにして構成された光ディスクを用いる光ディスク装置において、トラッッキング誤差信号中の上記ウオブルによる信号を検出する第1の検出手段を備え、上記第1の検出手段により上記ウオブルによる信号が交互に検出される場合にはトレースしているトラックをグルーブ状態と認識し、連続して検出される場合にはトレースしているトラックをランド状態と認識することを特徴とする。
【００１８】
また、情報記録トラックがランドとグルーブの両方に存在する光ディスクであって、上記情報記録トラックにおける情報の記録単位であるセクタのアドレス等のセクタ管理情報及び上記光ディスクの回転情報を表すように上記グルーブをディスク半径方向に微小にウオブリングさせることによりウオブルを形成し、所定のグルーブが上記ウオブルを形成している場合には、該グルーブに隣接するグルーブにはウオブルを形成しないようにして構成された光ディスクを用いる光ディスク装置において、トラッッキング誤差信号中の上記ウオブルによる信号に基づいて、書き込みデータの基準クロックを生成することを特徴とする。
【００１９】
さらに、上記光ディスクのグルーブのウオブルが、上記アドレスデータ等のセクタ管理情報を変調した波形で構成されるとともに、上記セクタの開始部分において上記変調を行わない基準波形からなるウオブルが設けられたものであって、トラッキング誤差信号中の上記基準波形からなるウオブルによる信号に基づいて、書き込みデータの基準クロックを生成するようにしたものである。
【００２０】
また、上記光ディスクが、１トラックおきに上記ランドとグルーブを切り替えながら連続した上記情報記録トラックが形成されるとともに、上記情報記録トラックが半径方向の位置に応じ複数のゾーンに分割され、上記ランドからグルーブもしくは上記グルーブからランドへの切り替えを行う直前のセクタにおいては、上記ウオブリングの周期と異なる周期でウオブリングされた上記ランドとグルーブの切り替え認識部を含むものであって、トラッッキング誤差信号中の上記ランドとグルーブの切り替え認識部のウオブルによる信号を検出する第2の検出手段を備え、上記第２の検出手段により上記ランドとグルーブの切り替え認識部のウオブルによる信号が検出された場合には上記ランドとグルーブが切り替わることを判定し、トラッキングの極性を反転させるようにしたものである。
【００２１】
また、上記光ディスクが、１トラックおきに上記ランドとグルーブを切り替えながら連続した上記情報記録トラックを形成するとともに、上記情報記録トラックを半径方向の位置に応じ複数のゾーンに分割し、上記ランドからグルーブもしくは上記グルーブからランドへの切り替えを行う直前のセクタにおいては、上記ウオブルとそうでない部分との繰り返し周期を少なくとも該セクタの一部分においては他のセクタと異なるようにしたものであって、上記第1の検出手段から検出される上記ウオブルによる信号の有無の繰り返し周期に基づいて上記ランドとグルーブが切り替わることを判定し、トラッキングの極性を反転させるようにしたものである。
【００２２】
【発明の実施の形態】
この発明に係る光ディスクにおいては、所定のグルーブがウオブルを形成している場合には、該グルーブに隣接するグルーブにはウオブルを形成しないようにして、グルーブの１回転毎にウオブルが形成された部分とそうでない部分とを１つ以上交互に設けるようにしたので、ディスク１周におけるグルーブのウオブリング部を隣接グルーブ間で重なることがなく、ランドやグルーブの情報記録再生時等においても上記ウオブル情報を得ることが可能となる。
【００２３】
また、情報記録トラックが半径方向の位置に応じて複数のゾーンに分割されるとともに、セクタの内部で上記ウオブルが形成された部分とそうでない部分とを交互に含むようにしたので、ウオブルの有無が繰り返される状態をセクタ内で完結させることができ、記録再生時等にセクタアドレス等を含むセクタ管理情報や記録開始位置情報等を得ることが可能となる。
【００２４】
さらに、グルーブのウオブルが、アドレスデータ等のセクタ管理情報を変調した波形で構成されるとともに、セクタの開始部分において変調を行わない基準波形からなるウオブルを設けるようにしたので、記録再生時等に変調されたウオルブ信号をバンドパスフィルタ等により記録データと分離して復調することにより、確実に精度よくセクタ管理情報を抽出することができ、また、無変調のウオルブ信号に基づいてジッタのない高精度の書き込みクロックを生成することができる。
【００２５】
また、ランドとグルーブがディスク１周ごとに連続して切り替わる構成としたため、ビデオデータ等の比較的高い信号レートを書き込みまたは読み出す場合においても、トラックジャンプ等を伴わず、回転待ち等によるデータの途切れがなくすることが可能となる。そして、セクターをゾーン構成とすることにより、ゾーン内では各セクタが半径方向に整列しているため、ウオブルの間欠配置を整列させることが可能となる。さらに、ランドからグルーブもしくはグルーブからランドへの切り替えを行う直前のセクタにおいては、セクタ管理情報等を表すウオブリングの周期と異なる周期でウオブリングされたランドとグルーブの切り替え認識部を含むようにしたので、記録再生時等に、セクタ管理情報等を表すウオブリング周波数とは異なる周波数を通過帯域とするバンドパスフィルタによりランドとグルーブの切り替え認識部のウオブル信号を抽出でき、抽出されたウオブル信号に基づいて容易にしかも確実にランド／グルーブ極性切り替えを行うことが可能となる。
【００２６】
また、ランドとグルーブがディスク１周ごとに連続して切り替わる構成としたため、ビデオデータ等の比較的高い信号レートを書き込みまたは読み出す場合においても、トラックジャンプ等を伴わず、回転待ち等によるデータの途切れがなくすることが可能となる。そして、セクターをゾーン構成とすることにより、ゾーン内では各セクタが半径方向に整列しているため、ウオブルの間欠配置を整列させることが可能となる。さらに、ランドからグルーブもしくは上記グルーブからランドへの切り替えを行う直前のセクタにおいては、ウオブルとそうでない部分との繰り返し周期を他のセクタと異なるようにして配置したので、記録再生時等に、ウオブル部の有無の周期を検出することでランド／グルーブ極性切り替えの有無を確実に検出することが可能となる。
【００２７】
この発明に係る光ディスク装置においては、ウオブルによる信号が交互に検出される場合にはトレースしているトラックをグルーブ状態と認識し、連続して検出される場合にはトレースしているトラックをランド状態と認識するようにしたので、容易にランドトラックとグルーブトラックを識別することができ、誤動作なく確実にランドトラックとグルーブトラックにアクセスすることが可能となる。
【００２８】
さらに、トラッッキング誤差信号中の上記ウオブルによる信号に基づいて、書き込みデータの基準クロックを生成するようにしたので、記録時等に回転変動にかかわらずに正確な記録ピットを形成することが可能となる。さらに、ディスク回転数がＣＡＶ回転であっても、線記録密度をほぼ一定となるように書き込むことが可能となる。
【００２９】
また、トラッキング誤差信号中の基準波形からなるウオブルによる信号に基づいて、書き込みデータの基準クロックを生成するようにしたので、より安定で高精度な書き込みクロックが得られ、記録時等に回転変動にかかわらずにより正確な記録ピットを形成することが可能となる。
【００３０】
また、セクタ管理情報等のウオブリングの周期と異なる周期でウオブリングされたランドとグルーブの切り替え認識部のウオブルによる信号を検出し、ランドとグルーブの切り替え認識部のウオブルによる信号が検出された場合にはランドとグルーブが切り替わることを判定し、トラッキングの極性を反転させるようにしたので、容易にランド／グルーブ極性反転を判定でき、確実にトラッキングの極性を反転することが可能となる。
【００３１】
また、トラッッキング誤差信号中から検出されるウオブルによる信号の有無の繰り返し周期に基づいて上記ランドとグルーブが切り替わることを判定し、トラッキングの極性を反転させるようにしたので、容易にランド／グルーブ極性反転を判定でき、確実にトラッキングの極性を反転することが可能となる。
【００３２】
以下、この発明をその実施の形態を示す図面に基づいて具体的に説明する。
実施の形態１．
図１はこの発明の実施の形態１である光ディスクのトラックの構成を示すもので、図において１はグルーブ、２はランド、３はウオブリングされたグルーブであり、４は光スポットがグルーブ（ａ）のトラックをトレースした場合のウオブリング情報の再生状態、５はランド（ｂ）のトラックをトレースした場合のウオブリング情報の再生状態、６はグルーブ（ｃ）のトラックをトレースした場合のウオブリング情報の再生状態、７はランド（ｄ）のトラックをトレースした場合のウオブリング情報の再生状態、８はグルーブ（ｅ）のトラックをトレースした場合のウオブリング情報の再生状態をそれぞれ示すものである。
【００３３】
本実施の形態においては、図１に示すようにグルーブのウオブリングを隣接グルーブ間で重ならないように交互の構成する。これにより、ランド走査時でもグルーブ走査時でもウオブル情報を得ることが可能となり、またランド走査かグルーブ走査かを認識することが可能となる。例えば図１のグルーブ（ａ）のトラックをトレースする場合においては、ウオブルからの情報は、図中４に示すように無再生，アドレスＡ，無再生，アドレスＢのように再生され、またランド（ｂ）のトラックをトレースする場合には、図中５に示すように、アドレスＣ，アドレスＡ，アドレスＤ，アドレスＢのように再生される。従って、例えばグルーブ（ａ）のトラックはアドレスＡまたはＢのトラック、ランド（ｂ）のトラックはアドレスＡまたはＢとＣまたはＤの中間トラック、グルーブ（ｃ）のトラックはアドレスＣまたはＤのトラック・・・と解釈することにより、ランドとグルーブの両方のアドレスを定義することが可能である。そして、トレースしているトラックがランドであるかグルーブであるかは、再生されるウオブル情報が連続的であるか、間欠的（断続的）であるかにより判別することができる。
【００３４】
なお、ウオブルは各セクタアドレスに基づいて例えばＦＭ変調（周波数変調）等の変調がなされている。そして、セクタアドレス検出に際しては、例えばＦＭ変調されたウオブル情報をＦＭ復調することにより、セクタアドレスを検出・認識する。このように、ウオブルを各セクタアドレスに基づいて変調しておくことにより、記録再生時等に確実に精度よくセクタ管理情報を検出・抽出することができる。
【００３５】
また、図２に示すように、記録密度を高めるためにセクタ配置がゾーン分割された光ディスク（図においては、例えば内周側から外周側にそれぞれゾーンＡ９、ゾーンＢ１０、ゾーンＣ１１に分割されている場合を示している。）においては１つのゾーン内でのセクタ配置がディスク半径方向に整列しているため、上述のようにグルーブのウオブリングを隣接グルーブ間で重ならないように交互の構成すれば、ウオブル配列を隣接グルーブ間で整列させることが可能となる。
また、セクタの先頭部分にウオブルされたグルーブを含むヘッダ部１３を設け、このヘッダ部１３のウオブルによりセクタアドレスを表現することで、記録時または再生時にこのヘッダ部１３のウオブルを検出することによりセクタアドレスの認識が可能になる。この場合、セクタアドレスはウオブルにより認識できるため、ヘッダ部１３には他の情報を記録してさらに記録密度を向上させることもできる。
【００３６】
実施の形態２．
図３はこの発明の実施の形態２である光ディスクのトラックの構成を示すもので、１３はヘッダ部、１４はデータ記録再生部である。図に示すように、グルーブのウオブリングをヘッダ部１３においてのみ間欠的に行ったものであり、ヘッダ部１３のウオブルによりセクタアドレスを表現している。なお、実施の形態１同様、ウオブルは各アドレスに基づいて例えばＦＭ変調（周波数変調）等の変調がなされている。アドレス検出に際しては、ＦＭ変調されたウオブル情報をＦＭ復調することにより、アドレスを検出・認識する。
【００３７】
そして、実施の形態１において説明したのと同様に、特に図２に示すようなセクタ配置がゾーン分割された光ディスクにおいては、ヘッダ部１３のウオブルによりセクタアドレスを表現することで、記録時または再生時にこのヘッダ部１３のウオブルを検出することによりセクタアドレスの認識ができるので、ヘッダ部１３には他の情報を記録することが可能となるが、本実施の形態では、さらにデータ記録再生部１４においてウオブルが構成しないようにしているので、その分だけより線記録密度を高くとることができる。また、セクタの先頭部分にウオブルにより構成されたヘッダ部１３があるため、セクタの開始位置をウオブルからの情報により得ることも可能である。
なお、上記各実施の形態においては、セクタ管理情報をセクタアドレスとして説明したが、セクタアドレス以外の他のセクタ管理情報であってもよい。
【００３８】
実施の形態３．
図４はこの発明の実施の形態３である光ディスクのトラックの構成を示すもので、セクタ内のヘッダ部をアドレスデータ部１５と書き込み用クロックを抽出するためのＶＦＯ部１６に分割したものである。アドレスデータ部１５においては、セクタアドレスに基づきＦＭ変調等が施されたウオブルによりセクタアドレスを表現しており、また、ＶＦＯ部１６においては記録時に書き込み用クロックを抽出するためにＦＭ変調等によりデータの重畳されていないウオブルが形成されている。
このように、ヘッダ部をアドレスデータ部１５とＶＦＯ部１６に分割して構成することによって、記録または再生時にアドレスデータ部のウオブル信号を復調してセクタアドレスを確実に精度よく検出することができ、さらに、ＶＦＯ部１６のウオブルはＦＭ変調等によりデータが重畳されていないので、記録時にＶＦＯ部１６からのウオブル情報、すなわちジッタ成分の少ないウオブル情報を用いて、より安定した高精度の書き込みクロックを生成することが可能となる。
また、図４に示すように、例えばＶＦＯ部１６のグルーブにおけるウオブルとそうでない部分の繰り返し周期をアドレスデータ部１５の上記繰り返し周期と異なる（図４は例えば前者の繰り返し周期を後者の繰り返し周期より長くした場合を示している。）ようにしておけば、データ記録時等に検出されるウオブルとそうでない部分の繰り返し周期から、トレースしているのがＶＦＯ部１６かどうかを容易に判別できる。
【００３９】
なお、上記各実施の形態においては、ヘッダ部１３にデータを書き込むことが可能である。例えば記録信号の変調方式や記録密度を、通常データ記録再生部と同じにすれば、まったくの連続データを記録することも可能となり、ビデオデータやオーディオデータ等の細かくデータを分割しない方が望ましいデータの記録についてもセクタ配列を気にせず記録することが可能となる。
また、セクタアドレス等を専用のアドレスピットをあらかじめディスクに形成する方法では、再生専用機にそのままかけても、専用のアドレスピットの部分が、再生専用ディスクのデータ配列と異なっている場合、フォーマットの違いから再生できなくなる恐れがある。これに対し、上述のようにヘッダ部１３に通常データ記録再生部と同様にして連続データを記録しておけば、例えば相変化ディスク等の反射率変化によって情報を再生する記録媒体を用いる場合においても、記録データを再生専用ディスクと同様のデータ配列とすることによって、再生専用機にそのままかけて再生することも可能となる。
【００４０】
実施の形態４．
図５はこの発明の実施の形態４である光ディスクのトラックの構成を示すもので、本実施の形態においては、特に連続した情報トラックを形成する必要がある光ディスクにおいて、図に示すように１周する毎にランドのトラックはグルーブのトラックへ、グルーブのトラックはランドのトラックへ接続する。これにより、１周毎にランドとトラックが切り替わる１本のスパイラルとなる。このように、ＣＤと同様に１本のスパイラル状のトラックにデータ記録することとなり、トラック・ジャンプの方法もＣＤと同じ方法で行うことができる。
また、マスタリング装置でトラックを形成するときには、１周毎にレーザ光を照射する位置を半径方向にトラック・ピッチ分だけずらせば良い。
【００４１】
ただし、図５に示したトラックのランドとグルーブが連続するトラック構成においては、トラッキング制御の極性を途中で切り換えてやる必要があるため、ランド／グルーブ極性切り換え点１７を正確に検出することがきわめて重要となってくる。この極性反転が検出できなければ、トラックはずれを起こしてしまうことになる。
【００４２】
そこで、極性反転が行われる直前のセクタにおいて図６に示すように極性反転検出部１８を設ければ、ランド／グルーブ極性切り換え点、換言すれば、後続のセクタが極性反転を伴うセクタであるかどうかを認識することができる。図において（ａ）はランドとグルーブの極性が切り替わる直前のセクタのトラック構成を示す図、（ｂ）はランドとグルーブが切り替わらないセクタのトラック構成を示す図、そして１８は極性反転検出部である。
極性反転検出部１８のグルーブにおけるウオブルのウオブリング周期を、アドレス部１５やＶＦＯ部１６のグルーブにおけるウオブルのウオブリング周期と異なるように構成する。これにより、例えば上記極性反転検出部１８のウオブル周波数のみを通過させる専用のバンドパスフィルタを構成することで、それ以外のウオブル信号と区別して検出でき、極性反転検出部１８の検出を確実に行うことができる。
【００４３】
また、図６（ａ）に示すように、極性反転検出部１８におけるウオブルが構成されている部分とそうでない部分との繰り返し周期を、アドレス部１５やＶＦＯ部１６と異なるように構成することによって、この周期の違いから検出することも可能である。図６（ａ）は例えば、極性反転検出部１８におけるウオブルが構成されている部分とそうでない部分との繰り返し周期をアドレス部１５やＶＦＯ部１６における繰り返し周期よりも短くした場合を示している。ここで、極性反転検出部１８におけるウオブルが構成されている部分とそうでない部分との繰り返し周期をアドレス部１５やＶＦＯ部１６における繰り返し周期よりも長くしてもよく、さらには、ランド／グルーブ極性の反転する直前のセクタ中のすべてのウオブルとそうでない部分との繰り返し周期をそれ以外のセクタのウオブルとそうでない部分との繰り返し周期と異なるように構成してもよい。これらの場合にも、記録再生時等に、ウオブルとそうでない部分との繰り返し周期を検出することにより、ランド／グルーブ極性切り替えの有無を確実に検出することが可能となる。
【００４４】
なお、記録再生を行う光ディスクにおいては、なるべく回転数を一定にするためにＣＬＶ回転にする方法や、図２に示すようにディスク半径方向にいくつかのゾーンに分割して、各ゾーンでの回転数を変えることによって線速のばらつきを小さくする方法が提案されている。いずれの方法でも、上記各実施の形態においては、ウオブル情報を再生することにより、再生されたウオブル信号の周波数を基準周波数に合わせたり、位相ロックをかけることにより回転制御を行うことが可能となる。
【００４５】
つぎに、上述したような光ディスクを用いて記録再生等を行う場合に、ランドとグルーブの認識を行ったり、書き込みデータクロックの抽出やランド・グルーブ極性の切り替え認識を行うことのできる光ディスク装置について以下説明する。
【００４６】
実施の形態５．
図７は、本発明の実施の形態５である光ディスク装置の構成を示すブロック図であり、ランドとグルーブとを判定するとともに、セクタのアドレスを検出してデータの記録を行うように構成されている。
図において、１９はディスクを回転させるためのディスクモータ、２０はデータを記録再生したり、トラッキング誤差信号を得るための光ヘッド、２１は光ヘッドからの再生信号を増幅するためのプリアンプ、２２はウオブル信号を抽出するためのバンドパスフィルタ、２３はウオブル信号に含まれるＦＭ記録されたデータを復調するためのＦＭ復調回路、２４はＦＭ復調回路からの再生データを検出（抽出）し訂正するためのデータ検出・エラー訂正回路、２５はアドレス情報の検出回路、２６はウオブル信号のエンベロープを抽出するためのエンベロープ検波回路、２７はランド／グルーブ判定回路、２８はマイクロコンピュータ、２９はウオブル信号から書き込みクロックを生成するためのＰＬＬ回路、３０は書き込みデータを一時記憶するための書き込みデータバッファ、３１は誤り訂正付加回路、３２は記録データを変調するためのデータ変調回路、３３はレザーを点滅させてデータを書き込むためのレーザ変調回路である。なお、ここでは、光ディスク上のウオブル情報はＦＭ変調が施されているものとして説明する。
【００４７】
次に動作につき説明する。まず、光ヘッド２０からのトラック誤差信号に相当する信号を、ある程度通過帯域の高いプリアンプ２１により増幅し取り出し、光ディスク１２上に構成されているウオブル信号を抽出する。次に、取り出されたウオブル信号にはＦＭ変調によってセクタ管理情報等が重畳されているため、バンドパスフィルタ２２を介してウオブル信号の通過帯域以外の不要なノイズ成分や情報記録データ等の影響を排除した後、ＦＭ復調回路２３においてＦＭ復調する。そして、データ検出・エラー訂正回路２４において、ＦＭ復調回路２３からの再生ウオブル情報を抽出してその誤りを訂正するためにエラー訂正を行った後、アドレス情報のみがアドレス検出回路２５にて取り出される。このようにしてウオブル情報からアドレス信号を検出・抽出する。
【００４８】
また、実施の形態１において図１をもとに説明したように、ランドのトラックから再生されるウオブル情報は連続的となるのに対し、グルーブのトラックから再生されるウオブル情報は間欠的となる。したがって、バンドパスフィルタ２２を通過したウオブル情報の再生エンベロープをエンベロープ検波回路２６で検波し、ランド／グルーブ判定回路２７では、検波されたエンベロープが連続的か間欠的かにより、トレースしているトラックがランドかグルーブかの判定を行う。そして、マイクロコンピュータ２８では、アドレス検出回路２５からのアドレス信号に加えて、ランド／グルーブ判定回路２７からの判定結果に基づいて、トレースしているトラックがランドトラックかグルーブトラックかを判定する。
そして、上記実施の形態４で説明したような、ランド及びグルーブのトラックが１周毎に切り替わったスパイラル上のトラックが形成された光ディスクへの記録に際しては、ランド／グルーブ判定回路２７によるランド／グルーブ判定結果は、トラッキング制御回路（図示せず）に送られ、それに基づいてトラッキング極性が反転するように光ヘッド２０のトラッキングが制御される。
【００４９】
このように、アドレス情報からだけでなく、エンベロープからもランドかグルーブかの判定を行うことで、より容易にしかも確実にランド／グルーブの認識が行える。
さらに、マイクロコンピュータ２８は、アドレス検出回路２５からのアドレス信号及びランド／グルーブ判定回路２７からのランド／グルーブ判定信号に基づいて書き込み開始信号を出力する。
一方、書き込みデータは書き込みデータバッファ３０に一時的に記憶されており、マイクロコンピュータ２８からの書き込み開始信号にしたがって読み出された書き込みデータは、ＥＣＣ付加回路３１でＥＣＣ（誤り訂正符号）を付加された後、データ変調回路３２で書き込み開始信号にしたがって所定の変調が開始される。そして、変調された書き込みデータはレーザ変調回路３３、光ヘッド２０を介して光ディスク１２へ書き込まれる。
【００５０】
またさらに、バンドパスフィルタ２２を通過したウオブル信号をＰＬＬ回路２９に入力することにより、ウオブルに同期したクロックを抽出・生成し、これは書き込みクロックとして使用される。このクロックはウオブルに同期しているので、ディスク回転数にかかわらず最短記録ピット長に合わせた周波数を発振できるため、例えばＣＡＶ（回転数一定回転）のディスクにおいても、ＣＬＶ回転（線速度一定回転）で記録した場合と同様な記録ピットを形成することができる。これは、原盤カッティングを行う際に、原盤をＣＬＶ回転させた状態で、カッティング用レーザービームを一定周波数でウオブルさせるためで、このようにして製造した光ディスクでは、再生時にウオブル信号に基づき回転制御を行えば、当然ＣＬＶ回転を行うことができるようになる他、ＣＡＶ回転を行った場合においても書き込みクロックを最短ピット長に合わせて変化させ、常に一定の線記録密度を実現することが可能となる。
【００５１】
なお、ここではウオブル信号にＦＭ記録された形でセクタ管理情報等が重畳されているので、ＦＭ変調の度合に応じてＦＭ波形にジッタが含まれる可能性があるが、ＰＬＬ回路２９のＰＬＬ応答周波数レンジを調整することにより、ＦＭ波形に含まれる変調分のジッタを含まない高精度な書き込みクロックを生成することができ、記録時の回転変動にかかわらずにより正確な記録ピットを形成することが可能となる。
【００５２】
実施の形態６．
上記実施の形態３で図４をもとに説明したヘッダ部に書き込みクロックを抽出するためのＶＦＯ部を形成した光ディスクに、データを記録するための光ディスク装置を以下説明する。
図８は実施の形態６である光ディスク装置の構成を示すブロック図であり、上記実施の形態５の図７に示した構成からさらに、光ディスク上のＶＦＯ部を判定するＶＦＯ判定回路３４と、その判定結果に基づきＰＬＬ回路２９に入力するウオブル信号を弁別するスイッチ３５を設けたものである。他の構成は上記実施の形態５と同様であるので、詳しい説明は省略する。なお、ここで、図４に示したように、光ディスクに形成されたＶＦＯ部のウオブルとそうでない部分の繰り返し周期は、アドレスデータ部１５のそれと異なるものとする。
光ディスク１２上のＶＦＯ部をトレースしている時のエンベロープのパターン（周期）とアドレスデータ部をトレースしている時のエンベロープのパターン（周期）とが異なることにより、記録時等にＶＦＯ判定回路３４は、エンベロープ検波回路２６からのエンベロープのパターンに基づいて光ディスク上のＶＦＯ部を判定する。そして、その判定結果に基づき、ＶＦＯ部であると判定された時には、スイッチ３５を閉じてウオブル信号をＰＬＬ回路２９に入力する。
このように、ＦＭ波にデータが多重されていないＶＦＯ部１６からのウオブル信号を基にクロックを生成するため、よりジッタの少ない高精度な書き込みクロックが得られ、記録時等に回転変動にかかわらずにより正確な記録ピットを形成することが可能となる。
【００５３】
実施の形態７．
上記実施の形態４で図６をもとに説明したディスク１回転おきにランドとグルーブが連続して存在するトラック構造をとる光ディスクに、データを記録するための光ディスク装置を以下説明する。
図９は実施の形態７である光ディスク装置の構成を示すブロック図であり、３６は光ディスク上に形成された極性反転検出部１８からのウオブル信号を抽出するためのバンドパスフィルタＢ、３７はエンベロープ検波回路、３８はトラッキングの極性反転指令を出力するトラッキング極性反転回路、３９はディスクモータ１９の回転位相を検出するモータエンコーダカウンタ、４０は光ヘッド２０のトラッキングセンサー信号を増幅するためのサーボマトリクスアンプ、４１はトラッキング制御回路である。なお、光ディスク１２は、図６に示すような、ディスク１回転おきにランドとグルーブが連続して存在するトラック構造をもっており、また、光ディスク１２上の極性反転検出部１８におけるウオブルの周波数は、アドレスデータ部１５やＶＦＯ部１６におけるウオブルの周波数とは異なるものとする。
【００５４】
次に動作について説明する。記録再生時等において、光ディスク１２の極性反転検出部１８におけるアドレスデータ部１５やＶＦＯ部１６とは周波数の異なるウオブル信号が、専用のバンドパスフィルタＢ３６により抽出され、エンベロープ検波回路３７にて極性反転検出部１８からのウオブル信号の再生エンベロープが抽出される。そして、トラッキング極性反転回路３８においては、そのエンベロープのレベル（大きさ）により極性反転検出部１８のウオブルの有無による判定し、すなわち、トレースしているトラックのトラッキング極性反転の有無（ランド／グルーブの反転の有無）を判定する（判定Ａ）。
【００５５】
ここで、グルーブからランドへ、またランドからグルーブへトラック極性が切り替わる場合のバンドパスフィルタＡ２２、バンドパスフィルタＢ３６及びトラッキング極性反転指令の各信号動作は図１０のように示すようになる。図中、バンドパスフィルタＡの出力は４２及び４７に示しており、グルーブトレースの場合は４５のように間欠的なウオブル信号の再生出力が、ランドトレースの場合は５０のような連続的な再生出力となる。また、バンドパスフィルタＢの出力は４３，４８として示しており、トラッキングの極性切り替えが行われる直前のセクタの場合においては、４６や５１のような再生出力が得られる。そして、４６及び５１のような再生出力をエンベロープ検波回路３７でエンベロープ検波し、それによりトラッキング極性反転回路３８ではトラッキング極性反転の有無の判定Ａとして、４４及び４９に示すような判定結果を得る。
そして、トラッキング極性判定回路３８は、トラッキング極性反転があると判定（判定Ａ）すると、トラッキング極性判定指令をトラッキング制御回路４１へ出力し、トラッキング制御回路４１におけるトラッキング制御の極性を反転させる。
【００５６】
さらに、トラッキングの極性反転を誤るとトラックはずれにつながるため、トラッキング極性判定回路３８においては、トラッキング極性の判定を何重にも行うように構成することもできる。例えば、極性反転検出部１８のウオブルの有無に基づく判定Ａの他に、モータエンコーダカウンタ３９により検出されたディスクモータ１９の回転位相に基づき、極性反転位置が光ディスク１２の回転位相に同期しているかどうかの判定Ｂを行う。また、ランド／グルーブが１回転毎に連続しているので、１回転におけるセクタ数とアドレス検出回路２５により検出された光ディスク１２のセクタアドレスからトラッキング極性反転があるかどうかの判定Ｃを行う。さらに、エンベロープ検波回路２６からのエンベロープを用いて、前回の極性反転位置からヘッダ部の数を所定数計数することにより判定Ｄを行う。このように、トラッキング極性反転があるかどうかを何重にも判定するようにすれば、より安定でしかも確実なトラッキング極性反転の判定が可能である。
【００５７】
なお、実施の形態７においては、光ディスク１２上の極性反転検出部１８におけるウオブルの周波数が、アドレスデータ部１５やＶＦＯ部１６におけるウオブルの周波数とは異なるものとし、それを利用してトラッキング極性反転を検出・判定するように構成したが、ウオブル周波数が異なるのではなく、光ディスク１２上の極性反転検出部１８におけるウオブルウオブルとそうでない部分との繰り返し周期が他のセクタのウオブルとそうでない部分との繰り返し周波数と異なるものである場合には、以下のようにしてトラッキング極性反転を検出・判定が可能である。すなわち、エンベロープ検波回路２６により検波されたエンベロープのパターン（周期）をもとに、トラッキング極性反転回路３８は他のセクタのエンベロープのパターン（周期）と異なることを検出した場合にトラッキング極性が反転したとを判定するようにすればよい。このような場合には、図９に示したバンドパスフィルタＢ３６及びエンベロープ検波回路３７を別途設ける必要はない。
【００５８】
【発明の効果】
以上のように、この発明に係る光ディスクにおいては、ランドとグルーブの両方に信号を記録することにより、より高密度に情報の書き込みが可能となり、しかもセクタアドレス等のアドレス管理情報をウオブルの形でプリフォーマットしたため、専用のアドレスピットを設ける必要がなくなり、データの書き込み効率をより向上することができる。また、専用のアドレスピットを設けないため、すでに規格化されている再生専用ディスクと同じフォーマットで記録を行えば、例えば相変化ディスク等の反射率変化により再生が行われるディスクにおいては、従来の再生専用機において本記録媒体を挿入しても、互換再生が可能となる。またさらに、ウオブル情報をランド走査の場合でもグルーブ走査の場合でも異なるアドレス情報として再生できるため、ランドとグルーブの認識を確実に行うことができる。
【００５９】
また、セクタの先頭部分で、グルーブのウオブル部とそうでない部分を交互に繰り返したため、セクタの先頭部分にてアドレスが認識できるとともに、上記ウオブルによる再生エンベロープを認識することで、セクタの開始位置を認識できるようになった。また、セクターをゾーン構成とすることにより、ゾーン内では各セクタが半径方向に整列しているため、ウオブルの間欠配置を整列させることが可能となった。
【００６０】
さらに、ウオブル部にＦＭ変調等に変調された形でセクタアドレス等のセクタ管理情報を構成したため、バンドパスフィルタを用いて情報信号部分と完全に分離して取り出すことができ、確実に精度よくセクタ管理情報を抽出することができ、また、変調をかけないＶＦＯ部を設けることにより、無変調のウオルブ信号に基づいてジッタの無い高精度の書き込みクロックを生成することができる。
【００６１】
また、ランドとグルーブがディスク１周ごとに連続して切り替わる構成としたため、ビデオデータ等の比較的高い信号レートを書き込みまたは読み出す場合においても、トラックジャンプ等を伴わず、回転待ち等によるデータの途切れがなくなった。そして、セクターをゾーン構成とすることにより、ゾーン内では各セクタが半径方向に整列しているため、ウオブルの間欠配置を整列させることが可能となる。さらに、ランドからグルーブもしくはグルーブからランドへの切り替えを行う直前のセクタにおいては、セクタ管理情報等を表すウオブリングの周期と異なる周期でウオブリングされたランドとグルーブの切り替え認識部を含むようにしたので、記録再生時等にバンドパスフィルタにより抽出されたウオブル信号に基づいてランド／グルーブ極性切り替えを容易にしかも確実に検出でき、それによりトラッキング極性の反転を確実に行うことができる。
【００６２】
また、ランドとグルーブがディスク１周ごとに連続して切り替わる構成としたため、ビデオデータ等の比較的高い信号レートを書き込みまたは読み出す場合においても、トラックジャンプ等を伴わず、回転待ち等によるデータの途切れがなくなった。そして、セクターをゾーン構成とすることにより、ゾーン内では各セクタが半径方向に整列しているため、ウオブルの間欠配置を整列させることが可能となる。さらに、ランドとグルーブの極性反転が行われる直前のセクタにおいて、ウオブルとそうでない部分との繰り返し周期を少なくとも該セクタの一部分においては他のセクタと異なるようにしたので、記録再生時等に、ウオブル部の有無の周期を検出することでランド／グルーブ極性切り替えの有無を容易にしかも確実に検出することができ、それによりトラッキング極性の反転を確実に行うことができる。
【００６３】
この発明に係る光ディスク装置においては、ウオブルによる信号が交互に検出される場合にはトレースしているトラックをグルーブ状態と認識し、連続して検出される場合にはトレースしているトラックをランド状態と認識するようにしたので、容易にランドトラックとグルーブトラックを識別することができ、誤動作なく確実にランドトラックとグルーブトラックにアクセスすることが可能となる。
【００６４】
また、トラッキング誤差信号中の上記ウオブルによる信号に基づいて、書き込みデータの基準クロックを生成するようにしたので、記録時等に回転変動にかかわらずに正確な記録ピットを形成することができる。ランドもしくはグルーブを走査している場合に、ディスク回転数がＣＡＶ回転であっても、線記録密度をほぼ一定となるように書き込むことができる。
【００６５】
さらに、トラッキング誤差信号中の基準波形からなるウオブルによる信号に基づいて、書き込みデータの基準クロックを生成するようにしたので、より安定で高精度な書き込みクロックが得られ、記録時等に回転変動にかかわらずにより正確な記録ピットを形成することができる。
【００６６】
また、セクタ管理情報等のウオブリングの周期と異なる周期でウオブリングされたランドとグルーブの切り替え認識部のウオブルによる信号を検出し、ランドとグルーブの切り替え認識部のウオブルによる信号が検出された場合にはランドとグルーブが切り替わることを判定し、トラッキングの極性を反転させるようにしたので、容易にランド／グルーブ極性反転を判定でき、確実にトラッキングの極性を反転することができる。
【００６７】
また、トラッッキング誤差信号中から検出されるウオブルによる信号の有無の繰り返し周期に基づいて上記ランドとグルーブが切り替わることを判定し、トラッキングの極性を反転させるようにしたので、容易にランド／グルーブ極性反転を判定でき、確実にトラッキングの極性を反転することができる。
【図面の簡単な説明】
【図１】  この発明の実施の形態１である光ディスクにおけるトラックの構成を示す図である。
【図２】  この発明の実施の形態１である光ディスクにおけるセクタの配置を示す図である。
【図３】  この発明の実施の形態２である光ディスクにおけるトラックの構成を示す図である。
【図４】  この発明の実施の形態３である光ディスクにおけるトラックの構成を示す図である。
【図５】  この発明の実施の形態４である光ディスクにおけるトラックの構成を示す図である。
【図６】  この発明の実施の形態４である光ディスクにおけるトラックの構成を示す図である。
【図７】  本発明の実施の形態５である光ディスク装置の構成を示すブロック図である。
【図８】  本発明の実施の形態６である光ディスク装置の構成を示すブロック図である。
【図９】  本発明の実施の形態７である光ディスク装置の構成を示すブロック図である。
【図１０】  この発明の実施の形態７である光ディスク装置における信号動作を示す図である。
【図１１】  従来の光ディスクにおけるウオブリンググルーブを示す図である。
【図１２】  従来の光ディスクにおけるトラックの構成を示す図である。
【図１３】  従来の光ディスクにおけるヘッダ部の構成を示す図である。
【符号の説明】
１  グルーブ、２  ランド、３  ウオブル、９，１０，１１  ゾーン、１２  光ディスク、１３  ヘッダ部、１４  データ記録再生部、１５  アドレスデータ部、１６  ＶＦＯ部、１８  極性反転検出部、１９  ディスクモータ、２０  光ヘッド、２１  プリアンプ、２２，３６  バンドパスフィルタ、２３  ＦＭ復調回路、２４  データ検出エラー訂正回路、２５  アドレス検出回路、２６，３７エンベロープ検波回路、２７  ランドグルーブ判定部、２８  マイクロコンピュータ、２９  ＰＬＬ回路、３０  書き込みデータバッファ、３１  ＥＣＣ付加回路、３２  データ変調回路、３３  レーザ変調回路、３４  ＶＦＯ判定回路、３５  スイッチ、３８  トラッキング極性判定回路、３９  モータエンコーダカウンタ、４０  サーボマトリクスアンプ、４１  トラッキング制御回路。
【図１】
0003850060.tif 000002
【図２】
0003850060.tif 000003
【図３】
0003850060.tif 000004
【図４】
0003850060.tif 000005
【図５】
0003850060.tif 000006
【図６】
0003850060.tif 000007
【図７】
0003850060.tif 000008
【図８】
0003850060.tif 000009
【図９】
0003850060.tif 000010
【図１０】
0003850060.tif 000011
【図１１】
0003850060.tif 000012
【図１２】
0003850060.tif 000013
【図１３】
0003850060.tif 000014